(57)【特許請求の範囲】
【請求項１】
複数の第１の絶縁層および前記複数の第１の絶縁層に設けられた渦巻き状または螺旋状のコイル導体からなるインダクタ部と、前記インダクタ部の上方に設けられた方形の第２の絶縁層と、前記第２の絶縁層の対向する端辺のみにその一部が露出するように前記第２の絶縁層の上面に設けられたグランド電極と、前記コイル導体を有する第１の絶縁層において前記コイル導体の中央部に設けられたダミーパターンと、前記第１の絶縁層および第２の絶縁層に設けられ、かつ互いに接続されたビア電極とを有し、かつ前記ビア電極を前記ダミーパターンおよびグランド電極に接続した複合電子部品。
【発明の詳細な説明】
【技術分野】
【０００１】
本発明は、ノイズフィルタや静電気対策部品としてデジタル機器やＡＶ機器、情報通信端末等の各種電子機器に使用される複合電子部品に関するものである。
【背景技術】
【０００２】
従来のこの種の複合電子部品は、図３に示すように、第１〜第３の絶縁層１ａ〜１ｃと、第２の絶縁層１ｂの上面にその先端部２ａが互いに対向するように設けられた導体２と、空間３を有し、かつ前記導体２の上面に設けられた第４の絶縁層１ｄとを備え、前記導体２の先端部２ａを空間３の内部に配置するようにしていた。また、上記のように構成された積層体を焼成し、そしてその後、外部電極を形成するようにしていた。なお、前記導体２および空間３は静電気電圧が印加されたときにその静電気パルスを放電させる静電気保護機能を有しているものである。
【０００３】
なお、この出願の発明に関する先行技術文献情報としては、例えば、特許文献１が知られている。
【特許文献１】特開２００３−１２３９３６号公報
【発明の開示】
【発明が解決しようとする課題】
【０００４】
上記した従来の複合電子部品においては、空間３に電圧依存性抵抗材料を充填してさらに静電気保護機能を向上させようとしても、焼成時に電圧依存性抵抗材料が酸化したり分解したりして静電気保護機能が低下するという課題を有していた。
【０００５】
本発明は上記従来の課題を解決するもので、静電気保護機能を向上させることができる複合電子部品を提供することを目的とするものである。
【課題を解決するための手段】
【０００６】
上記目的を達成するために本発明は、以下の構成を有するものである。
【０００７】
本発明の請求項１に記載の発明は、複数の第１の絶縁層および前記複数の第１の絶縁層に設けられた渦巻き状または螺旋状のコイル導体からなるインダクタ部と、前記インダクタ部の上方に設けられた方形の第２の絶縁層と、前記第２の絶縁層の対向する端辺のみにその一部が露出するように前記第２の絶縁層の上面に設けられたグランド電極と、前記コイル導体を有する第１の絶縁層において前記コイル導体の中央部に設けられたダミーパターンと、前記第１の絶縁層および第２の絶縁層に設けられ、かつ互いに接続されたビア電極とを有し、かつ前記ビア電極を前記ダミーパターンおよびグランド電極に接続したもので、この構成によれば、ダミーパターンとコイル導体との間で、静電気電圧印加時の静電気パルスを放電させることができるため、放電された静電気パルスをグランド電極から外部に出力させることができ、また、このグランド電極は第２の絶縁層の対向する端辺のみにその一部が露出するように形成されているため、実装時の方向性を無くすことができ、さらに、焼成する必要がないため、電圧依存性抵抗材料の酸化、分解などにより静電気保護機能が低下してしまうということもなくなるという作用効果が得られるものである。
【発明の効果】
【０００８】
以上のように本発明の複合電子部品は、複数の第１の絶縁層および前記複数の第１の絶縁層に設けられた渦巻き状または螺旋状のコイル導体からなるインダクタ部と、前記インダクタ部の上方に設けられた方形の第２の絶縁層と、前記第２の絶縁層の対向する端辺のみにその一部が露出するように前記第２の絶縁層の上面に設けられたグランド電極と、前記コイル導体を有する第１の絶縁層において前記コイル導体の中央部に設けられたダミーパターンと、前記第１の絶縁層および第２の絶縁層に設けられ、かつ互いに接続されたビア電極とを有し、かつ前記ビア電極を前記ダミーパターンおよびグランド電極に接続しているため、ダミーパターンとコイル導体との間で、静電気電圧印加時の静電気パルスを放電させることができ、これにより、放電された静電気パルスをグランド電極から外部に出力させることができ、また、このグランド電極は第２の絶縁層の対向する端辺のみにその一部が露出するように形成されているため、実装時の方向性を無くすことができ、さらに、焼成する必要がないため、電圧依存性抵抗材料の酸化、分解などにより静電気保護機能が低下してしまうということもなくなるという優れた効果を奏するものである。
【発明を実施するための最良の形態】
【０００９】
以下、本発明の一実施の形態における複合電子部品について、図面を参照しながら説明する。
【００１０】
図１は本発明の一実施の形態における複合電子部品の分解斜視図である。
【００１１】
本発明の一実施の形態における複合電子部品は、図１に示すように、複数の第１の絶縁層１１および前記複数の第１の絶縁層１１に設けられたコイル導体１２からなるインダクタ部１３と、前記インダクタ部１３の上方に設けられた方形の第２の絶縁層１４と、前記第２の絶縁層１４の対向する端辺のみにその一部が露出するように前記第２の絶縁層１４の上面に設けられたグランド電極１５と、前記コイル導体１２を有する第１の絶縁層１１に設けられたダミーパターン１６と、前記第１の絶縁層１１および第２の絶縁層１２に設けられ、かつ互いに接続されたビア電極１７とを有し、かつ前記ビア電極１７を前記ダミーパターン１６およびグランド電極１５に接続したものである。
【００１２】
上記構成において、前記複数の第１の絶縁層１１は、フェライト等の磁性材料によりシート状に構成されている。
【００１３】
前記コイル導体１２は、渦巻き状に銀などの導電材料をめっきすることにより形成されるインダクタ要素で、複数の第１の絶縁層１１のうち、２枚の第１の絶縁層１１の上面に設けられている。さらに、このコイル導体１２は２個設けられ、かつこの２個のコイル導体１２は複数の第１の絶縁層１１のうち１枚の第１の絶縁層１１に形成されたバイアホール１１ａを介して接続することにより、１個の独立したコイルを形成している。またこの２個のコイル導体１２の両端部は第１の絶縁層１１の端面に露出している。なお、このコイル導体１２の形状は、渦巻き状に限定されるものではなく、螺旋状であってもよい。また、コイル導体１２が形成される第１の絶縁層１１の数は２枚に限定されるものではない。さらに、コイル導体１２の数も２個に限定されるものではない。
【００１４】
そして前記コイル導体１２と複数の第１の絶縁層１１とによりインダクタ部１３が構成され、さらにこのインダクタ部１３の上方に、フェライト等の磁性材料やガラスセラミック等からなる第２の絶縁層１４が設けられている。
【００１５】
また、前記第２の絶縁層１４の上面には、シート状に銀などの導電材料をめっきすることによりグランド電極１５が設けられている。そして前記グランド電極１５の両端部は第２の絶縁層１４の対向する端辺に露出している。また、グランド電極１５の上面には、フェライト等の磁性材料やガラスセラミック等からなる第３の絶縁層１８が設けられている。
【００１６】
前記ダミーパターン１６は、コイル導体１２を有する第１の絶縁層１１に設けられている。また、ダミーパターン１６はコイル導体１２と近接するように位置している。そして、ダミーパターン１６同士、ダミーパターン１６とグランド電極１５とは、第１の絶縁層１１および第２の絶縁層１２に形成されたビア電極１７を介して接続されている。
【００１７】
上記した構成部品により、図２に示すような積層体２１が形成され、かつこの積層体２１の両端部および両側部には外部電極２２が設けられるものである。この場合、外部電極２２は、コイル導体１２の両端部、グランド電極１５の両端部の一部と接続されるように銀を印刷することによって形成されている。また、外部電極２２の表面には、ニッケルめっき層、すずめっき層が施されている。
【００１８】
なお、前記コイル導体１２、グランド電極１５はめっきで形成するのではなく、その他の印刷や蒸着等の方法で形成してもよい。また、前記第１〜第３の絶縁層１１，１４，１８の枚数は、図１に示された枚数に限定されるものではない。
【００１９】
以上のように構成された本発明の一実施の形態における複合電子部品は、通常はインダクタ部１３を信号電流が流れているが、一定の電圧以上の静電気電圧が印加されたときは、コイル導体１２とダミーパターン１６との間でその静電気パルスを放電させ、さらに、当該静電気パルスをグランド電極１５を介してグランドに放電させることにより、インダクタ部１３の下流にある素子等を保護するものである。
【００２０】
上記した本発明の一実施の形態においては、コイル導体１２を有する第１の絶縁層１１に設けられたダミーパターン１６と、前記第１の絶縁層１１および第２の絶縁層１２に設けられ、かつ互いに接続されたビア電極１７とを有し、かつ前記ビア電極１７を前記ダミーパターン１６およびグランド電極１５に接続しているため、ダミーパターン１６とコイル導体１２との間で、静電気電圧印加時の静電気パルスを放電させることができ、これにより、放電された静電気パルスをグランド電極１５から外部（グランド）に出力させることができるという効果を得ることができるものである。
【００２１】
また、グランド電極１５は第２の絶縁層１２に対向する端辺のみにその一部が露出するように形成されているため、実装時の方向性を無くすことができる。すなわち、実装方向が１８０°ずれた場合でも性能を発揮することができる。
【００２２】
さらに、焼成する必要がないため、電圧依存性抵抗材料の酸化、分解などにより静電気保護機能が低下してしまうということもなくなるという効果を得ることができるものである。
【産業上の利用可能性】
【００２３】
本発明に係る複合電子部品は、静電気保護機能を向上させることができるという効果を有し、デジタル機器やＡＶ機器、情報通信端末等の各種電子機器等のノイズフィルタや静電気対策部品等として有用となるものである。
【図面の簡単な説明】
【００２４】
【図１】本発明の一実施の形態における複合電子部品の分解斜視図
【図２】同複合電子部品の斜視図
【図３】従来の複合電子部品の分解斜視図
【符号の説明】
【００２５】
１１  第１の絶縁層
１２  コイル導体
１３  インダクタ部
１４  第２の絶縁層
１５  グランド電極
１６  ダミーパターン
１７  ビア電極
【図１】
0004985617.tif 000002
【図２】
0004985617.tif 000003
【図３】
0004985617.tif 000004